(57)【特許請求の範囲】
【請求項１】
シール施工を発注するクライアントコンピュータと、シール施工を請け負う施工業者コンピュータと、シール施工をサポートするサポートセンターコンピュータを連係させるシール施工システムであって、
前記クライアントコンピュータから前記施工業者コンピュータに対し、サポートセンターでのシール施工研修の受講指示が発せられ、
前記クライアントコンピュータからの前記受講指示を契機として、前記サポートセンターで施工業者に対して前記シール施工研修が実行され、前記シール施工に必要なシール材の選定または該シール材の情報が提供され、前記クライアントコンピュータから前記施工業者コンピュータに前記シール材の調達指示が発せられ、前記シール施工研修を受講したことを条件に、シール施工が許可されるシール施工システム。
【請求項２】
クライアントコンピュータ、施工業者コンピュータおよびサポートセンターコンピュータを連係させて実行するシール施工管理方法であって、
前記クライアントコンピュータから前記施工業者コンピュータに、サポートセンターでのシール施工研修の受講指示を発行し、該受講指示の発行を契機としてシール材およびシール施工具の双方または少なくとも該シール材の調達指示を発行する工程と、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する工程と、
を含むシール施工管理方法。
【請求項３】
クライアントコンピュータ、施工業者コンピュータおよびサポートセンターコンピュータを連係させて実行するシール施工管理方法であって、
前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行する工程と、
少なくとも前記施工業者コンピュータからシール施工研修の受講報告を受けて前記施工業者コンピュータに対し、前記シール材を用いるシール施工の許可を発行する工程と、
を含むシール施工管理方法。
【請求項４】
クライアントコンピュータ、施工業者コンピュータおよびサポートセンターコンピュータを連係させて実行するシール施工管理方法であって、
前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行する工程と、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する工程と、
前記施工業者コンピュータが、少なくとも前記クライアントコンピュータに前記シール施工研修の受講報告を通知する工程と、
前記クライアントコンピュータが少なくとも前記施工業者コンピュータから前記シール施工研修の受講報告を受けて前記施工業者コンピュータに対し、前記シール材を用いるシール施工の許可を発行する工程と、
を含むシール施工管理方法。
【請求項５】
さらに、前記サポートセンターコンピュータが前記クライアントコンピュータまたは前記施工業者コンピュータの少なくとも一方に関係付けて前記シール施工、前記シール施工研修または前記シール材の購入の何れかまたは２以上を管理する工程を含む請求項２ないし請求項４のいずれかの請求項に記載のシール施工管理方法。
【請求項６】
さらに、前記クライアントコンピュータから前記施工業者コンピュータにシール施工の指示前に、前記サポートセンターコンピュータが前記クライアントコンピュータに対するシール施工プロモーションを発行する工程と、
を含む請求項２ないし請求項５のいずれかの請求項に記載のシール施工管理方法。
【請求項７】
さらに、前記サポートセンターコンピュータが前記シール施工の記録を取得し、前記クライアントコンピュータまたは前記施工業者コンピュータの少なくとも一方にシール施工情報を提示する工程と、
を含む請求項２ないし請求項６のいずれかの請求項に記載のシール施工管理方法。
【請求項８】
前記シール施工具は、フランジ周辺部材、締付け工具およびフランジ締付け情報を格納した情報端末を含む請求項２ないし請求項７のいずれかの請求項に記載のシール施工管理方法。
【請求項９】
連係するクライアントコンピュータ、施工業者コンピュータおよびサポートセンターコンピュータを備え、
前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行し、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する、
シール施工管理システム。
【請求項１０】
連係するクライアントコンピュータ、施工業者コンピュータおよびサポートセンターコンピュータを備え、
前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行し、
少なくとも前記施工業者コンピュータからシール施工研修の受講報告を受けて前記施工業者コンピュータに対し、前記シール材を用いるシール施工の許可を発行する、
シール施工管理システム。
【請求項１１】
連係するクライアントコンピュータ、施工業者コンピュータおよびサポートセンターコンピュータを備え、
前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行し、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得し、
前記施工業者コンピュータが、少なくとも前記クライアントコンピュータに前記シール施工研修の受講報告を通知し、
前記クライアントコンピュータが少なくとも前記施工業者コンピュータから前記シール施工研修の受講報告を受けて前記施工業者コンピュータに対し、前記シール材を用いるシール施工の許可を発行する、
シール施工管理システム。
【請求項１２】
クライアントコンピュータ、施工業者コンピュータおよびサポートセンターコンピュータで実現させるシール施工管理プログラムであって、
前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行する機能と、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する機能と、
を前記コンピュータで実現させるためのシール施工管理プログラム。
【請求項１３】
クライアントコンピュータ、施工業者コンピュータおよびサポートセンターコンピュータで実現させるシール施工管理プログラムであって、
前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行する機能と、
少なくとも前記施工業者コンピュータからシール施工研修の受講報告を受けて前記施工業者コンピュータに対し、前記シール材を用いるシール施工の許可を発行する機能と、
を前記コンピュータで実現させるためのシール施工管理プログラム。
【請求項１４】
クライアントコンピュータ、施工業者コンピュータおよびサポートセンターコンピュータで実現させるシール施工管理プログラムであって、
前記クライアントコンピュータから前記施工業者コンピュータに、サポートセンターでのシール施工研修の受講指示を発行し、該受講指示の発行を契機としてシール材およびシール施工具の双方または少なくとも該シール材の調達指示を発行する機能と、
前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得し、前記施工業者コンピュータが、少なくとも前記クライアントコンピュータに対して前記シール施工研修の受講報告を通知する機能と、
前記クライアントコンピュータが少なくとも前記施工業者コンピュータから前記シール施工研修の受講報告を受けて前記施工業者コンピュータに対し、前記シール材を用いるシール施工の許可を発行する機能と、
を前記コンピュータで実現させるためのシール施工管理プログラム。
【発明の詳細な説明】
【技術分野】
【０００１】
本発明は、配管連結などに用いられるシール施工システム、シール施工管理・シール施工研修のシステム、プログラムおよび方法に関する。
【背景技術】
【０００２】
配管連結や配管にポンプなどの設備を接続する施工では、フランジ継手にガスケットなどのシール材を挟み込み、フランジ継手の複数箇所に配置したボルトでガスケットを締め付けている。【０００３】
このシール施工に関し、研修用機材として、トルクレンチなどの締付け具により締め付けられるボルトの締付け力をロードセルによって検出してディスプレイに表示し、フランジの面圧を作業者に確認させることが知られている（たとえば、特許文献１）。
【先行技術文献】
【特許文献】
【０００４】
【特許文献１】特開２００９−１９１９３２号公報
【発明の概要】
【発明が解決しようとする課題】
【０００５】
ところで、斯かるシール施工にはプラントやそのオーナーなどのクライアント、シール施工を必要とする機器などの施工対象、シール施工を担当する施工業者および作業者、施工対象に適合するシール材、シール施工に用いられる施工具、作業者の研修など、複数の要素を包含している。とりわけ、シール材の選定、購入および作業者の研修はシール施工の精度や信頼性を高める上で極めて重要な事項である。【０００６】
多種多様なシール材から適合するシール材を選定することは容易ではないし、熟練した作業者にあっても経験や勘に頼る施工では精度や信頼性に問題がある。シール施工研修を実施しても、施工業者がシール材の選定に間違いがあれば、期待する精度や信頼性は得られない。【０００７】
高精度、高品質のシール材が提供されても、その選定にミスがあれば、質の高いシール施工は望めないし、シール施工の研修、シール材の選定、その購入を自由な個別の管理とすれば、シール施工の品質を高めることが困難であり、シール施工の品質を低下させることになる。【０００８】
そこで、本発明の目的は上記課題に鑑み、シール施工研修、シール材選定およびシール施工の一元化管理を実現し、シール施工の精度や信頼性を高めることにある。【０００９】
さらに、本発明の他の目的は、シール材選定とともにシール材購入を一元化し、シール施工におけるシール材の品質および信頼性を高めることにある。
【課題を解決するための手段】
【００１０】
上記目的を達成するため、本開示のシール施工システムの一側面によれば、シール施工を発注するクライアントコンピュータと、シール施工を請け負う施工業者コンピュータと、シール施工をサポートするサポートセンターコンピュータを連係させるシール施工システムであって、前記クライアントコンピュータから前記施工業者コンピュータに対し、サポートセンターでのシール施工研修の受講指示が発せられ、前記クライアントコンピュータからの前記受講指示を契機として、前記サポートセンターで施工業者に対して前記シール施工研修が実行され、前記シール施工に必要なシール材の選定または該シール材の情報が提供され、前記クライアントコンピュータから前記施工業者コンピュータに前記シール材の調達指示が発せられ、前記シール施工研修を受講したことを条件に、シール施工が許可される。
【００１１】
上記目的を達成するため、本開示のシール施工管理方法の一側面によれば、クライアントコンピュータ、施工業者コンピュータおよびサポートセンターコンピュータを連係させて実行するシール施工管理方法であって、前記クライアントコンピュータから前記施工業者コンピュータに、サポートセンターでのシール施工研修の受講指示を発行し、該受講指示の発行を契機としてシール材およびシール施工具の双方または少なくとも該シール材の調達指示を発行する工程と、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する工程を含む。
上記目的を達成するため、本開示のシール施工管理方法の一側面によれば、クライアントコンピュータ、施工業者コンピュータおよびサポートセンターコンピュータを連係させて実行するシール施工管理方法であって、前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行する工程と、少なくとも前記施工業者コンピュータからシール施工研修の受講報告を受けて前記施工業者コンピュータに対し、前記シール材を用いるシール施工の許可を発行する工程とを含む。
上記目的を達成するため、本開示のシール施工管理方法の一側面によれば、クライアントコンピュータ、施工業者コンピュータおよびサポートセンターコンピュータを連係させて実行するシール施工管理方法であって、前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行する工程と、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する工程と、前記施工業者コンピュータが、少なくとも前記クライアントコンピュータに前記シール施工研修の受講報告を通知する工程と、前記クライアントコンピュータが少なくとも前記施工業者コンピュータから前記シール施工研修の受講報告を受けて前記施工業者コンピュータに対し、前記シール材を用いるシール施工の許可を発行する工程とを含んでいる。
【００１２】
上記シール施工管理方法において、さらに、前記サポートセンターコンピュータが前記クライアントコンピュータまたは前記施工業者コンピュータの少なくとも一方に関係付けて前記シール施工、前記シール施工研修または前記シール材の購入の何れかまたは２以上を管理する工程を含んでよい。【００１３】
上記シール施工管理方法において、さらに、前記クライアントコンピュータから前記施工業者コンピュータにシール施工の指示前に、前記サポートセンターコンピュータが前記クライアントコンピュータに対するシール施工プロモーションを発行する工程を含んでよい。【００１４】
上記シール施工管理方法において、さらに、前記サポートセンターコンピュータが前記シール施工の記録を取得し、前記クライアントコンピュータまたは前記施工業者コンピュータの少なくとも一方にシール施工情報を提示する工程を含んでよい。【００１５】
上記シール施工管理方法において、前記シール施工具は、フランジ周辺部材、締付け工具およびフランジ締付け情報を格納した情報端末を含んでよい。【００１６】
上記目的を達成するため、本開示のシール施工管理システムの一側面によれば、連係するクライアントコンピュータ、施工業者コンピュータおよびサポートセンターコンピュータを備え、前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行し、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する。
上記目的を達成するため、本開示のシール施工管理システムの一側面によれば、連係するクライアントコンピュータ、施工業者コンピュータおよびサポートセンターコンピュータを備え、前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行し、少なくとも前記施工業者コンピュータからシール施工研修の受講報告を受けて前記施工業者コンピュータに対し、前記シール材を用いるシール施工の許可を発行する。
上記目的を達成するため、本開示のシール施工管理システムの一側面によれば、連係するクライアントコンピュータ、施工業者コンピュータおよびサポートセンターコンピュータを備え、前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行し、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得し、前記施工業者コンピュータが、少なくとも前記クライアントコンピュータに前記シール施工研修の受講報告を通知し、前記クライアントコンピュータが少なくとも前記施工業者コンピュータから前記シール施工研修の受講報告を受けて前記施工業者コンピュータに対し、前記シール材を用いるシール施工の許可を発行する。
【００１７】
上記目的を達成するため、本開示のシール施工管理プログラムの一側面によれば、クライアントコンピュータ、施工業者コンピュータおよびサポートセンターコンピュータで実現させるシール施工管理プログラムであって、前記クライアントコンピュータから前記施工業者コンピュータに、サポートセンターでのシール施工研修の受講指示を発行し、該受講指示の発行を契機として、シール材およびシール施工具の双方または少なくとも該シール材の調達指示を発行する機能と、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得する機能とを前記コンピュータで実現させる。
上記目的を達成するため、本開示のシール施工管理プログラムの一側面によれば、クライアントコンピュータ、施工業者コンピュータおよびサポートセンターコンピュータで実現させるシール施工管理プログラムであって、前記クライアントコンピュータから前記施工業者コンピュータに、サポートセンターでのシール施工研修の受講指示を発行し、該受講指示の発行を契機として前記シール施工に必要なシール材の選定または該シール材の情報が提供され、シール材およびシール施工具の双方または少なくとも該シール材の調達指示を発行する機能と、少なくとも前記施工業者コンピュータからシール施工研修の受講報告を受けて前記施工業者コンピュータに対し、前記シール材を用いるシール施工の許可を発行する機能とを前記コンピュータで実現させる。
上記目的を達成するため、本開示のシール施工管理プログラムの一側面によれば、クライアントコンピュータ、施工業者コンピュータおよびサポートセンターコンピュータで実現させるシール施工管理プログラムであって、前記クライアントコンピュータから前記施工業者コンピュータに、サポートセンターでのシール施工研修の受講指示を発行し、該受講指示の発行を契機としてシール材およびシール施工具の双方または少なくとも該シール材の調達指示を発行する機能と、前記クライアントコンピュータによる前記受講指示の発行を契機に、前記サポートセンターコンピュータが、前記施工業者コンピュータからの受講受諾通知を受領し、読出した研修プログラムの実行を監視し、前記クライアントコンピュータに研修の開始または終了の通知を発行して前記シール施工研修を管理し、前記クライアントコンピュータの指示を受け、入力されたシール材の使用条件と、該使用条件に関係付けられたシール材データテーブルを利用してシール施工に必要なシール材を選定しまたは該シール材の情報を取得し、前記施工業者コンピュータが、少なくとも前記クライアントコンピュータに対して前記シール施工研修の受講報告を通知する機能と、前記クライアントコンピュータが少なくとも前記施工業者コンピュータから前記シール施工研修の受講報告を受けて前記施工業者コンピュータに対し、前記シール材を用いるシール施工の許可を発行する機能とを前記コンピュータで実現させる。
【発明の効果】
【００２１】
本発明のシール施工システムによれば、次のいずれかの効果が得られる。【００２２】
(1) 施工時期の到来やサポートセンターのプロモーションなどを契機に、シール材の選定、シール施工の研修、シール材の調達、シール施工に一貫関与し、安心安全のシール施工を実現できる。【００２３】
(2) 現場に必要なシール材の選定や情報の提供が行われ、シール施工研修はその選定や提供された情報に基づくシール材で施工できるなど、シール施工現場に則した研修を行うことができる。【００２４】
(3) 選定されたシール材を以て、シール施工の研修を受けた作業者が現場でシール施工を行うので、精度の高いしかも信頼性のあるシール施工を行うことができる。【００２５】
本発明のシール施工管理のシステム、プログラムまたは方法によれば、次のいずれかの効果が得られる。【００２６】
(1) クライアントコンピュータ、施工業者コンピュータおよびサポートセンターコンピュータの連係を以て、施工業者に対するシール施工研修、シール材の選定および調達の一元化管理を実現でき、シール施工の精度を高め、信頼性を向上させることができる。【００２７】
(2) クライアントコンピュータ、施工業者コンピュータおよびサポートセンターコンピュータを媒介として、クライアント、施工業者およびサポートセンターのシール施工における職務分掌が明確化され、シール施工研修、シール材の選定および調達の自動化を図ることができる。【００２８】
(3) クライアントからの施工指示、施工業者によるシール施工、シール材の選定、調達指示および販売をサポートセンターで一括して管理でき、シール施工の内容をサポートセンターで把握し、その記録内容をクライアントや施工業者に提供できる。【００２９】
(4) シール施工の研修、シール材の選定、調達およびシール施工の履歴を記録でき、その記録情報を提示でき、その内容確認が可能となる。【００３０】
また、本発明のシール施工研修のシステム、プログラムまたは方法によれば、次のいずれかの効果が得られる。【００３１】
(1) クライアントコンピュータ、施工業者コンピュータおよびサポートセンターコンピュータの連係を以て、クライアントのシール施工対象の機器を選択し、その機器を以て施工研修を行うことができるとともに、シール施工対象の機器の模擬情報または研修情報を得ることができ、シール施工の精度や信頼性の向上に寄与することができる。【００３２】
(2) クライアントコンピュータ、施工業者コンピュータおよびサポートセンターコンピュータを媒介として、シール施工研修とあわせてシール材の選定および調達の自動化を図ることができる。【００３３】
(3) クライアントのシール施工を行う施工業者に必要なシール材の選定、そのシール材を用いた施工研修、シール施工に係る機器での研修を行えるとともに、サポートセンターでその管理が行え、シール施工と一体的な施工研修を実現できる。【００３４】
(4) シール施工研修の結果をシール材の選定、調達およびシール施工に利用でき、研修履歴を記録でき、その記録情報を提示でき、その内容確認の容易化を図ることができる。
【図面の簡単な説明】
【００３５】
【図１】第１の実施の形態に係るシール施工システムを示す図である。
【図２】シール施工システムの処理シーケンスを示す図である。
【図３】第２の実施の形態に係るシール施工管理システムを示す図である。
【図４】シール施工管理の処理シーケンスを示す図である。
【図５】シール施工管理の処理シーケンスを示す図である。
【図６】シール材選定システムのシール材データテーブルを示す図である。
【図７】Ａはシール材選定に用いる入力画面を示す図、Ｂはシール材選定の結果を表す出力画面を示す図である。
【図８】シール材選定の処理手順を示すフローチャートである。
【図９】シール施工研修システムの座学システムを示す図である。
【図１０】シール施工研修システムの実習システムを示す図である。
【図１１】ＡはＰＣのハードウェアを示す図、Ｂは研修サーバーのハードウェアを示す図である。
【図１２】施工研修情報テーブルを示す図である。
【図１３】Ａは人的情報テーブルを示す図、Ｂはシール材情報・施工情報テーブルを示す図である。
【図１４】Ａは研修情報テーブルを示す図、Ｂは関連情報テーブルを示す図である。
【図１５】コースカリキュラムテーブルを示す図である。
【図１６】Ａはガスケット座学テーブルを示す図、Ｂはガスケット実習テーブルを示す図である。
【図１７】Ａはグランドパッキン座学テーブルを示す図、Ｂはグランドパッキン実習テーブルを示す図である。
【図１８】座学提示テーブルを示す図である。
【図１９】実習提示テーブルを示す図である。
【図２０】Ａはシール施工の入力画面の一例を示す図、Ｂはシール施工研修修了を表す出力画面の一例を示す図である。
【図２１】シール施工研修プログラムの処理手順を示すフローチャートである。
【図２２】スキル判定の処理手順を示すフローチャートである。
【図２３】コース選択の処理手順を示すフローチャートである。
【図２４】シール施工研修方法の一例を示すフローチャートである。
【図２５】Ａは実施例１に係るフランジ締付け実習装置を示す図、Ｂはひずみセンサーを備えたボルトおよびナットを示す図である。
【図２６】Ａは実施例２に係るクリープ緩和実習装置を示す図、Ｂはひずみセンサーを備えたボルトおよびナットを示す図である。
【図２７】実施例３に係るシール性実習装置を示す図である。
【図２８】実施例４に係る現場模擬締付け実習装置を示す図である。
【図２９】実施例５に係る配管アライメント実習装置を示す図である。
【図３０】他の実施の形態に係る研修テーブルを示す図である。
【図３１】他の実施の形態に係るシール施工システムの処理シーケンスを示す図である。
【図３２】他の実施の形態に係るシール施工管理の処理シーケンスを示す図である。
【図３３】他の実施の形態に係るシール施工研修プログラムの処理手順を示すフローチャートである。
【図３４】他の実施の形態に係るシール施工の入力画面を示す図である。
【発明を実施するための形態】
【００３６】
〔第１の実施の形態〕
【００３７】
＜シール施工システム＞
【００３８】
図１は、第１の実施の形態に係るシール施工システムを示している。このシール施工システム２は、クライアント４、施工業者６、サポートセンター８を含み、これらを連係させるシール施工のシステムである。
【００３９】
クライアント４はシール施工を発注するたとえば、石油精製プラント、化学プラントなどの各種プラント、電力会社、船舶、半導体の製造などの製造会社や、そのオーナーのいずれでもよい。
【００４０】
施工業者６は、クライアント４からシール施工を請け負う業者である。
【００４１】
サポートセンター８はクライアント４および施工業者６に対してシール施工をサポートする。このサポートには、シール施工に関する研修、シール技術の提供、シール施工管理、シール材、シール施工具などの関連部材の販売などが含まれる。
【００４２】
図２は、このシール施工システム２の処理シーケンスを示している。
【００４３】
この処理シーケンスによれば、サポートセンター８からクライアント４に対し、シール施工に関するプロモーションが実行される（Ｓ１０１）。このプロモーションやシール施工時期の到来を契機に、クライアント４から施工業者６に対して、シール施工の指示、サポートセンター８でのシール施工研修の受講指示が発行される（Ｓ１０２）。この指示は、サポートセンター８にも通知される。
【００４４】
施工業者６からシール施工およびシール施工研修を受諾する旨の通知がクライアント４およびサポートセンター８に対して発せられる（Ｓ１０３）。
【００４５】
クライアント４は、施工業者６からの通知を契機に、サポートセンター８に対してシール材の選定指示を発行する（Ｓ１０４）。
【００４６】
サポートセンター８は、クライアント４および施工業者６からのシール施工およびシール施工研修の通知、クライアント４からのシール材の選定指示の発行を契機に、シール材の選定を行う（Ｓ１０５）。そして、サポートセンター８は、クライアント４および施工業者６に対し、シール材の選定結果の通知を発行する（Ｓ１０６）。
【００４７】
クライアント４は、施工業者６に対し、シール材の調達指示を発行し（Ｓ１０７）、同時にサポートセンター８にその報告を行う。その際、施工業者６はシール材および推奨される施工工具をサポートセンター８から購入すればよい。
【００４８】
サポートセンター８は施工業者６に対し、選定されたシール材を用いてシール施工研修を実施し（Ｓ１０８）、その研修結果をクライアント４および施工業者６に通知する（Ｓ１０９）。
【００４９】
クライアント４は、シール材の調達およびシール施工研修の結果を契機に、施工業者６に対し、シール施工の許可を発行する（Ｓ１１０）。
【００５０】
この許可を受けた施工業者６は、クライアント４が指定するシール施工を実施する（Ｓ１１１）。
【００５１】
＜第１の実施の形態の効果＞
【００５２】
(1) サポートセンター８のプロモーションなどを契機にシール施工時期の到来を知ることができる。
【００５３】
(2) シール施工時期の到来やサポートセンター８のプロモーションなどを契機に、シール材の選定、シール施工の研修、シール材の調達、シール施工に一貫関与し、安心安全のシール施工を実現することができる。
【００５４】
(3) 現場に必要なシール材の選定をシール施工前に行い、そのシール材を以てシール施工研修を行うことができ、シール施工現場に則した研修を行い、シール施工の精度を高めることができる。
【００５５】
(4) 選定されたシール材を以て、少なくとも、シール施工の研修を受けたことを条件に施工業者６がシール施工を行うので、精度の高いしかも信頼性のあるシール施工を行うことができる。
【００５６】
(5) このシール施工システム２によれば、サポートセンター８によるシール材の選定、シール施工の研修およびシール材の販売が行われるので、シール施工に関するシール材調達の一元化が図られる。
【００５７】
(6) このシール施工システム２によれば、シール材の選定およびシール施工の研修にサポートセンター８が一貫関与するので、シール施工の高精度化および高信頼性の維持とともに、シール施工の効率化を図ることができる。
【００５８】
〔第２の実施の形態〕
【００５９】
図３は、第２の実施の形態に係るシール施工管理システムを示している。図３において、図１と同一部分には同一符号を付してある。図３に示す構成は一例であり、斯かる構成に本発明が限定されない。
【００６０】
シール施工管理システム２０はコンピュータを用いることにより、既述のシール施工システム２における人的情報、シール情報、施工情報、研修情報、関連情報などのサポート処理を行うコンピュータシステムである。このシール施工管理システム２０には、シール材を選定するシール材選定システム、シール施工を行う施工業者６などに後述する研修を行うシール施工研修システム３４（図９）が含まれる。
【００６１】
このシール施工管理システム２０では一例として、クライアント４にクライアントコンピュータとしてパーソナルコンピュータ（以下単に「ＰＣ」と称する）２４、施工業者６に施工業者コンピュータとしてＰＣ２６、サポートセンター８にサポートセンターコンピュータとしてＰＣ２８および研修サーバーコンピュータ（以下単に「研修サーバー」と称する）３０が備えられる。また、シール施工研修システム３４にはシール施工手段の各機器に備えるセンサーのセンサー出力または機器に関する研修情報の取得や、センサー出力または研修情報を受け、シール施工手段に含まれる機器に関する模擬情報の生成や、処理手段から出力される処理出力を文字情報または図形情報のいずれかまたは双方で提示する情報提示などが含まれる。
【００６２】
ＰＣ２４、２６、２８はたとえば、インターネット３２によって連係されている。ＰＣ２８には研修サーバー３０が有線または無線により接続されている。
【００６３】
ＰＣ２４の処理には、シール施工の指示、研修指示、シール材の選定指示、調達指示、シール施工の許可の発行が含まれる。
【００６４】
ＰＣ２６の処理には、シール施工の受諾通知、研修の受諾通知、研修受講報告、シール材の調達報告、シール施工の開始通知、シール施工の終了通知の発行、シール施工の監視などが含まれる。
【００６５】
ＰＣ２８の処理には、プロモーション、指示や報告の受領の確認、シール材の選定の管理、研修プログラムの監視、サポートの継続判断などが含まれる。
【００６６】
研修サーバー３０の処理には、シール施工の研修プログラムやシール材の選定プログラムなどの実行が含まれる。
【００６７】
＜シール施工管理の処理シーケンス＞
【００６８】
図４および図５は、シール施工管理の処理シーケンスを示している。
【００６９】
ＰＣ２８からＰＣ２４に対し、シール施工に関するプロモーションを行う（Ｓ２０１）。プロモーションをシール施工の時期の到来に合わせれば、メンテナンス時期の到来をプロモーションに同期して告知できる。
【００７０】
ＰＣ２４からＰＣ２６に対し、シール施工の指示が発行されるとともに、その指示がＰＣ２８に通知される（Ｓ２０２）。この指示は、施工開始や施工許可ではなく、後述のシール施工研修などを条件とした施工指示にすぎない。
【００７１】
これを受けたＰＣ２６からＰＣ２４に対し、シール施工の受諾通知が発行されるとともに、その受諾通知がＰＣ２８に通知される（Ｓ２０３）。この受諾通知を受けたＰＣ２４からＰＣ２６に対し、サポートセンター８でのシール施工研修の指示が発行されるとともに、その指示がＰＣ２８に対し通知される（Ｓ２０４）。
【００７２】
ＰＣ２６からシール施工研修の受諾通知が発行されるとともに、その受諾通知がＰＣ２８に対して通知される（Ｓ２０５）。これを契機に、ＰＣ２４からＰＣ２８にシール材の選定指示が発行される（Ｓ２０６）。
【００７３】
ＰＣ２８では、シール施工指示、シール施工の研修指示、これらの受諾通知の報告の受領を監視する（Ｓ２０７）。シール施工指示、シール施工の研修指示、これらの受諾通知の報告を受領すれば（Ｓ２０７のＹＥＳ）、これを契機に、シール施工に必要なシール材の選定を開始する（Ｓ２０８）。この開始はＰＣ２４、２６に通知される。この選定開始を条件に、研修サーバー３０がシール材の選定プログラムを実行する（Ｓ２０９）。ＰＣ２８では、シール材の選定が終了したかを判断し（Ｓ２１０）、シール材の選定が終了していれば（Ｓ２１０のＹＥＳ）、研修サーバー３０から提供されるシール材の選定結果を受け、このシール材の選定結果をＰＣ２４、２６に報告する（Ｓ２１１）。
【００７４】
この選定結果の報告を契機に、ＰＣ２４からＰＣ２６に対し、シール材の調達指示が発行されるとともに、その指示がＰＣ２８に対して報告される（Ｓ２１２）。
【００７５】
ＰＣ２８からＰＣ２４、２６に対し、シール施工の研修プログラムの開始通知が発行される（Ｓ２１３）。シール施工の研修プログラムは、研修サーバー３０において実行される（Ｓ２１４）。シール施工業者６のシール施工を担当する作業者が研修プログラムを受講すればよい。
【００７６】
ＰＣ２８では、シール施工の研修プログラムの実行を監視し（Ｓ２１５）、シール施工の研修プログラムが終了すれば（Ｓ２１５のＹＥＳ）、ＰＣ２８からＰＣ２４、２６に対し、シール施工の研修プログラムの終了通知が発行される（Ｓ２１６）。これを受け、ＰＣ２６からＰＣ２４、２８に研修受講報告の発行が行われる（Ｓ２１７）。このとき、施工業者６がシール材の調達を完了していれば、ＰＣ２６からＰＣ２４、２８に対し、シール材の調達報告を発行する（Ｓ２１８）。この調達報告はシール施工の研修プログラムの受講完了前であってもよい。
【００７７】
ＰＣ２４からＰＣ２６に対し、少なくともシール施工の研修を条件にシール施工の許可の指示が発行されるとともに、ＰＣ２８に対してその指示が通知される（Ｓ２１９）。このシール施工の許可は、少なくともシール施工研修プログラムの受講が条件である。これを受けたＰＣ２６からＰＣ２４、２８に対し、シール施工の開始通知が発行される（Ｓ２２０）。ＰＣ２６ではシール施工を監視し（Ｓ２２１）、シール施工が終了すれば（Ｓ２２１のＹＥＳ）、ＰＣ２６からＰＣ２４、２８に対し、シール施工の終了通知が発行される（Ｓ２２２）。
【００７８】
ＰＣ２８では、サポートを継続するかを判断し（Ｓ２２３）、サポートを継続する場合には（Ｓ２２３のＹＥＳ）、ＰＣ２４、２６に対し、サポートの継続通知を発行する（Ｓ２２４）。サポートを継続しない場合には（Ｓ２２３のＮＯ）、ＰＣ２８からＰＣ２４、２６に対し、サポートの終了通知を発行する（Ｓ２２５）。
【００７９】
＜シール材選定システム＞
【００８０】
シール材選定システムには、使用条件に関係付けられたガスケットなどのシール材データを格納したシール材データベースが用いられる。このシール材データベースにはたとえば、図６に示すシール材データテーブル３５が用いられる。
【００８１】
このシール材データテーブル３５には、複数のガスケットを包含するガスケット群３６とともに、各ガスケットに対応する使用条件３８として使用温度、使用圧力、使用流体、フランジ形状、使用機器、その他の情報など、ガスケットを特定するための条件情報が格納されている。
【００８２】
使用条件から選択される２以上の条件を選択すれば、推奨されるガスケットを選択することができるし、ガスケットを選択すれば、その使用条件を取り出せる。
【００８３】
このシール材選定にはたとえば、図７のＡに示すシール材選定の入力画面４０が用いられる。この入力画面４０では、シール材の選定を表すタイトル部４２、たとえば５種類の使用条件として、使用温度、使用圧力、使用流体、フランジ形状、使用機器の選択部４４、４６、４８、５０、５２とともに検索開始ボタン５４が備えられる。選択部４４、４６、４８、５０、５２の選択ボタン５６をチェックすれば、選択すべき使用温度、使用圧力などが順次に表示される。表示された値などで選択ボタン５６をチェックすれば、所望データを入力できる。そして、検索開始ボタン５４をチェックすれば、図７のＢに示すように、シール材選定の出力画面６０に遷移する。
【００８４】
この出力画面６０は図７のＢに示すように、シール材の選定結果を表すタイトル部６２、複数の選定結果として「選定１」、「選定２」・・・が表示される。各選定結果には、製品番号、使用条件などを含む複数のガスケット情報６４−１、６４−２・・・などが表示される。この出力画面６０には戻るボタン６６が備えられ、この戻るボタン６６をチェックすれば、図７のＡに示す入力画面４０に遷移することができる。
【００８５】
図８は、シール材選定の処理手順を示している。この処理手順はシール施工管理システムからシール材選定プログラムを選択して実行させることができ、シール材選定の入力画面４０を表示し、この入力画面４０から使用条件を入力する（Ｓ３０１）。使用条件の入力の後、検索指示によりシール材選定処理が実行される（Ｓ３０２）。このシール材選定処理では、データベース（ＤＢ）６８のシール材データテーブル３５が参照される。
【００８６】
入力条件に使用条件が適合すれば、その使用条件に合致するシール材としてガスケットが選定される（Ｓ３０３）。
【００８７】
この選定されたガスケットは、既述の使用条件などのガスケット情報が出力されて出力画面６０に表示され（Ｓ３０４）、この選定処理を終了する。
【００８８】
＜シール施工研修システム３４＞
【００８９】
シール施工研修システム３４には、講義形式の座学システム３４−１と、複数の実習装置を用いた実習形式の実習システム３４−２が含まれる。
【００９０】
座学システム３４−１は図９に示すように、第１の研修室６９−１に複数のＰＣ７０が備えられる。各ＰＣ７０はネットワーク７２により研修サーバー３０に接続され、情報の授受が可能である。ネットワーク７２は有線または無線のいずれでもよい。
【００９１】
各ＰＣ７０にはモニター７４および入力装置７６が備えられる。モニター７４は表示画面にタッチパネルを備え、タッチ入力が可能な構成でもよい。入力装置７６はキーボードやマウスを備え、バーコードリーダーを備えてよい。
【００９２】
各研修者７８は施工業者６の従業員など、シール施工の担当者である。この場合、各ＰＣ７０の何れかに講師が付き、教材の内容を説明してもよい。
【００９３】
このような座学システム３４−１によれば、研修室６９−１に研修者７８が集合し、各ＰＣ７０のモニター７４に展開される共通の座学研修教材を以て学習することができる。場合によっては、ネットワーク７２をインターネット３２に開放し、たとえば、ｅ−ラーニングによって補講などを行うことも可能である。
【００９４】
実習システム３４−２は図１０に示すように、複数の実習装置であり、シール施工手段の一例としてフランジ締付け実習装置８０−１、クリープ緩和実習装置８０−２、シール性実習装置８０−３などが備えられる。これらフランジ締付け実習装置８０−１、クリープ緩和実習装置８０−２、シール性実習装置８０−３は第２の研修室６９−２に設置され、個別にＰＣ８２を備える。各ＰＣ８２はネットワーク７２により研修サーバー３０に接続され、情報の授受が可能である。この実施形態は、第１および第２の研修室６９−１、６９−２を備えているが単一の研修室としてもよく、また、３以上の研修室を備えて、設備を分散設置してもよい。
【００９５】
各ＰＣ８２にはデータロガー８４およびモニター８６が備えられる。データロガー８４には装置本体側のセンサーからセンサー出力が取り込まれ、対応するＰＣ８２に入力される。モニター８６は表示画面にタッチパネルを備え、タッチ入力が可能な構成でもよい。入力装置としてキーボードやマウスを備え、バーコードリーダーを備えてよい。
【００９６】
このような実習システム３４−２によれば、各研修者７８はシール施工の講師のサポートを受け、シール施工機器と同様の実施条件での研修を行うことができる。
【００９７】
＜ＰＣ２４、２６、２８、７０、８２のハードウェア＞
【００９８】
ＰＣ２４、２６、２８、７０、８２には図１１のＡに示すＰＣ９０を用いればよい。このＰＣ９０には、プロセッサ９２、記憶部９４、入出力部（Ｉ／Ｏ）９６、操作入力部９８および通信部１００が含まれる。Ｉ／Ｏ９６にはモニター１０２が接続される。
【００９９】
プロセッサ９２は、記憶部９４にあるＯＳ（Operating System）、サポートプログラム、シール施工プログラム、シール施工研修プログラム、シール材選定プログラムなどの各種プログラムの実行、演算処理、各種機能部の制御などの情報処理を行う。記憶部９４にはＲＯＭ（Read-Only Memory）、ＲＡＭ（Random-Access Memory）などの記録媒体が備えられる。この記録媒体にはハードディスク、半導体メモリ、ＤＶＤ（Digital Versatile Disc）などを用いればよい。この記憶部９４にはＯＳの他、シール施工プログラムや、シール施工研修プログラム、シール材選定プログラムなどの各種プログラムが格納される。ＲＡＭは情報処理のワークエリアを構成する。
【０１００】
操作入力部９８はプロセッサ９２の制御により情報入力に用いられる。この操作入力部９８にはキーボード、マウス、タッチパネル、バーコード入力部などの情報入力機器が含まれる。
【０１０１】
通信部１００は、Ｗｉ−Ｆｉ（Wireless Fidelity）などの無線によりネットワーク７２に接続される。モニター１０２は、情報提示手段の一例であり、既述のモニター７４、８６などとして用いられる。
【０１０２】
＜研修サーバー３０のハードウェア＞
【０１０３】
研修サーバー３０には、図１１のＢに示すように、プロセッサ１０４、記憶部１０６、Ｉ／Ｏ１０８および通信部１１０が備えられる。
【０１０４】
プロセッサ１０４は、記憶部１０６にあるＯＳ、研修プログラムを実行する。Ｉ／Ｏ１０８は、情報入力に用いられる。通信部１１０は、ネットワーク７２を介して既述のＰＣ９０との通信を行う。
【０１０５】
記憶部１０６は、ＲＯＭ、ＲＡＭなどの記録媒体を備え、この記録媒体にはハードディスク、半導体メモリ、ＤＶＤなどを用いればよい。この記憶部１０６にはＯＳの他、シール施工研修プログラムなどの各種プログラムが格納される。ＲＡＭは情報処理のワークエリアを構成する。この記憶部１０６にはシール施工研修プログラムに用いられるデータベース６８が記憶される。
【０１０６】
＜施工研修情報テーブル１１２＞
【０１０７】
施工研修情報テーブル１１２には図１２に示すように、カテゴリ１１４、大項目１１６、中項目１１８および小項目１２０が格納される。カテゴリ１１４は大別された人的情報１１４−１、シール情報１１４−２、施工情報１１４−３、研修情報１１４−４、関連情報１１４−５など、各種の情報が含まれる。人的情報１１４−１には管理者情報および施工者情報が含まれる。シール情報１１４−２にはシール材情報、施工情報１１４−３には施工機器情報、施工工具、シール施工要請情報などが含まれる。研修情報１１４−４には施工研修プログラムなどが含まれる。関連情報１１４−５にはポリシー、規格情報、分析情報、調査情報、サポート情報、統計情報などが含まれる。
【０１０８】
人的情報テーブル１２２には図１３のＡに示すように、人的情報１１４−１が格納される。この人的情報１１４−１にはシール施工を管理する管理者を特定する管理者情報、シール施工を担当する施工業者６の施工者を特定する施工者情報が格納される。管理者情報には、部署、各職および氏名が格納される。人的情報テーブル１２２を参照すれば、研修プログラムの受講者の特定や担当職などを確認できる。
【０１０９】
施工者情報には、会社名、部署、各職、氏名およびスキルが含まれる。スキルには施工者のシール施工の技能レベルが格納される。このスキルはスキル判定プログラムによって判定すればよい。したがって、この人的情報テーブル１２２を参照すれば、施工者の特定、担当職、スキルなど、シール施工の技能レベルを確認できる。
【０１１０】
シール材情報・施工情報テーブル１２４には図１３のＢに示すように、シール材を特定するシール材情報が格納され、製品名および寸法が格納される。製品名には製造者を特定する記号や、特定名称などの識別情報が格納される。寸法にはシール材の形状寸法や厚みなどが格納される。
【０１１１】
施工機器情報には、シール施工の対象である施工機器を特定する情報が格納され、中項目１１８としてフランジ、ボルト・ナット、流体、圧力および温度が格納される。フランジには小項目１２０としてフランジを特定する形状、規格（寸法）および材質が格納される。ボルト・ナットには小項目１２０としてボルト・ナットを特定する寸法および材質が格納される。流体にはシール施工機器に用いられている流体の種別が格納される。圧力にはシール施工機器に用いられている流体の圧力が格納される。温度にはシール施工機器に用いられている温度が格納される。
【０１１２】
施工工具には、シール施工に用いられる施工工具について、中項目１１８として締付け工具およびフランジ工具が格納される。締付工具には小項目１２０としてハンドスパナ、手動トルクレンチ、倍力レンチ、エアートルクレンチ、油圧トルクレンチ、ボルトテンショナー、超音波軸力計などが含まれる。フランジ工具には小項目１２０としてフランジスプレッダー、フランジオープナー、フランジクローザーが含まれる。
【０１１３】
シール施工要請情報には、シール施工に要請される重要事項を表す情報が格納され、中項目１１８として、保管、運搬方法、据付方法、ボルト・ナット、締付け力および締付け手順が格納される。保管には小項目１２０としてその場所、運搬方法には小項目１２０としてその手段、据付方法には小項目１２０として使用フランジ工具、フランジ面確認、ボルト・ナットには小項目１２０として整備、潤滑材の種類、交換、材質、寸法が格納される。締付け力には小項目１２０としてトルク、軸力が格納される。
【０１１４】
研修情報テーブル１２６には施工研修の研修情報が格納され、図１４のＡに示すように、中項目１１８として締付け方法、応力緩和、シール性、圧縮破壊、面圧分布、２種類の現場フランジ施工が格納される。締付け方法には小項目１２０としてフランジ締付け実習装置、トルク感覚実習装置が属する。応力緩和には、小項目１２０としてクリープ緩和実習装置が属する。シール性には小項目１２０としてシール性実習装置が属する。圧力破壊には小項目１２０として圧縮破壊実習装置が属する。面圧分布には小項目としてボルトの影響実習装置が属する。一方の現場フランジ施工には小項目１２０として現場模擬締付け実習装置が属し、他方の現場フランジ施工には小項目１２０として配管アライメント実習装置が属する。
【０１１５】
関連情報テーブル１２８には図１４のＢに示すように、シール施工研修に活用すべき関連情報が格納される。ポリシーには中項目１１８として安心、安全の取組み、規格情報にはたとえば、資格認証制度規格、分析情報には事故原因および分析、調査情報には漏洩原因調査結果、サポート情報にはサポートセンター情報が含まれる。
【０１１６】
＜コースカリキュラムテーブル１３０＞
【０１１７】
コースカリキュラムテーブル１３０には図１５に示すように、コース１３２、カリキュラム１３４、カリキュラム内容１３６および時間１３８が格納されている。コース１３２には基礎コース１３０−１、上級コース１３０−２およびカスタムコース１３０−３が含まれている。カリキュラム１３４には、座学プログラム、実習プログラムが含まれ、座学プログラムまたは実習プログラムには基礎プログラム、応用プログラムが含まれる。各座学プログラムおよび実習プログラムには、それらが基礎プログラムか応用プログラムかを表す識別情報として「座学（基礎）」、「座学（応用）」、「実習（基礎）」、「実習（応用）」が格納される。カリキュラム内容１３６には学習する内容を表す項目が格納されている。そして、時間１３８には学習時間、実習時間を表す数値が格納される。
【０１１８】
＜ガスケット座学テーブル１４０＞
【０１１９】
ガスケット座学テーブル１４０には図１６のＡに示すように、カリキュラム１４２、レベル１４４および内容１４６が格納されている。カリキュラム１４２には複数のカリキュラムを表す項目が格納されている。レベル１４４には、基礎プログラムか応用プログラムかを表す「基礎」または「応用」が格納されている。内容１４６にはカリキュラム１４２のレベル毎に学習内容が格納される。
【０１２０】
＜ガスケット実習テーブル１４８＞
【０１２１】
ガスケット実習テーブル１４８には図１６のＢに示すように、カリキュラム１５０、レベル１５２、内容１５４および実習装置１５６が格納されている。カリキュラム１５０には複数のカリキュラムを表す項目が格納されている。レベル１５２には、基礎プログラムか応用プログラムかを表す「基礎」または「応用」が格納されている。内容１５４にはカリキュラム１５０の項目毎に学習内容が格納される。そして、実習装置１５６にはカリキュラム１５０の内容の学習に用いられる実習装置としてたとえば、「締付け方法」には「フランジ締付け実習装置」および「トルク感覚実習装置」が用いられるなど、カリキュラム１５０に対応する実習装置が明示されている。
【０１２２】
＜グランドパッキン座学テーブル１５８＞
【０１２３】
グランドパッキン座学テーブル１５８には図１７のＡに示すように、カリキュラム１６０および内容１６２が格納されている。カリキュラム１６０には複数のカリキュラムを表す項目が格納されている。内容１６２にはカリキュラム１６０の項目毎に学習内容が格納される。
【０１２４】
＜グランドパッキン実習テーブル１６４＞
【０１２５】
グランドパッキン実習テーブル１６４には図１７のＢに示すように、カリキュラム１６６、概要１６８および実習装置１７０が格納されている。カリキュラム１６６には複数のカリキュラムを表す項目が格納されている。概要１６８にはカリキュラム１６６の項目毎に学習内容が格納される。そして、実習装置１７０にはカリキュラム１６６の内容の学習に用いられる実習装置としてたとえば、「実機バルブ用グランドパッキン実習装置」、「実機回転ポンプ用グランドパッキン実習装置」などが含まれる。
【０１２６】
＜座学提示テーブル１７２＞
【０１２７】
座学提示テーブル１７２には図１８に示すように、学習項目１７４、学習内容１７６およびスキル１７８の項目が含まれる。学習項目１７４には学習内容の複数の項目が提示されている。学習内容１７６には学習項目１７４に含まれる学習内容の目的および概要が提示されている。スキル１７８には該当する職や新人に対する選択の重要度を「○」または「◎」で示している。「○」は「必要性あり」、または「◎」は「極めて重要性あり」を示している。
【０１２８】
＜実習提示テーブル１８０＞
【０１２９】
実習提示テーブル１８０には図１９に示すように、実習項目１８２、実習内容１８４、スキル１８６および装置名１８８が含まれる。実習項目１８２には実習内容１８４を総括して表す複数の項目が提示されている。実習内容１８４には実習項目１８２に含まれる実習内容の目的および概要が提示されている。スキル１８６には該当する職や新人に対する選択の重要度を「○」または「◎」で示している。「○」は「必要性あり」、または「◎」は「極めて重要性あり」を示している。装置名１８８には該当する実習装置が明示される。
【０１３０】
＜研修入力画面１９０＞
【０１３１】
研修プログラムには研修入力画面１９０が用いられる。この研修入力画面１９０には図２０のＡに示すように、研修者情報の入力を表すタイトル部１９２、会社名入力部１９４、部署名入力部１９６、氏名入力部１９８、スキル入力部２００、受講場所入力部２０１、が備えられる。スキル入力部２００には選択ボタン２０２が備えられ、選択したスキルを選択ボタン２０２のチェックにより確定させることができる。この研修入力画面１９０の下欄には決定ボタン２０４が備えられる。この決定ボタン２０４をチェックすれば、入力された研修者情報を確定させることができる。
【０１３２】
＜研修出力画面２０６＞
【０１３３】
研修プログラムの修了時には研修出力画面２０６が展開される。この研修出力画面２０６には図２０のＢに示すように、研修修了データを表すタイトル部２０８と、研修内容表示部２１０が表示される。研修内容表示部２１０には氏名２１０−１、部署名２１０−２、修了コース名２１０−３、評価２１０−４、その他関連情報２１０−５が表示される。
【０１３４】
＜シール施工研修の処理手順＞
【０１３５】
図２１は、シール施工研修の処理手順を示している。この処理手順は、シール施工研修プログラムまたはシール施工研修方法の一例である。
【０１３６】
シール施工研修の処理手順では、ＰＣの研修画面から研修者に対する意思確認として研修か否かを判定する（Ｓ４０１）。研修に移行すると（Ｓ４０１のＹＥＳ）、シール材選定の重要性を認識したかを確認する（Ｓ４０２）。シール材選定の重要性を認識していなければ（Ｓ４０２のＮＯ）、シール材選定の研修を課す（Ｓ４０３）。このシール材選定の研修は座学の再学習を行えばよい。このようにシール材選定の認識確認の意図は、実際のシール施工に用いられるシール材を認識させ、その認識を前提にシール施工の研修を行い、研修効果を高めることにある。シール材選定の研修（Ｓ４０３）が終了すれば、Ｓ４０２に戻る。
【０１３７】
シール材選定の重要性を認識していれば（Ｓ４０２のＹＥＳ）、研修者のスキル判定を行う（Ｓ４０４）。このスキル判定はスキル判定の処理手順（図２２）により行う。
【０１３８】
スキル判定の後、研修のコース選択を行う（Ｓ４０５）。このコース選択はコース選択の処理手順（図２３）により行う。
【０１３９】
コース選択の後、研修の意思を確認し（Ｓ４０６）、研修開始（Ｓ４０６のＹＥＳ）により、最初に座学プログラムの研修を行う（Ｓ４０７）。この座学プログラムは、座学システム３４−１により行い、所定の科目および時間により終了する。その場合、評価によっては再学習が求められる。
【０１４０】
この座学プログラムが終了すれば（Ｓ４０８のＹＥＳ）、実習プログラム（Ｓ４０９）に移行する。この実習プログラムは、実習システム３４−２により行い、所定の科目および時間により機器が選択されて必要な実習が行われる。その場合、センサー出力や研修に基づく入力情報による評価が行われ、その評価によっては再学習が求められる。
【０１４１】
この実習プログラムが終了すれば（Ｓ４１０のＹＥＳ）、シール施工の研修プログラムの終了となり、修了表示が提示される（Ｓ４１１）。
【０１４２】
＜スキル判定の処理手順＞
【０１４３】
図２２は、スキル判定の処理手順を示している。スキル判定の処理手順に移行すると、新人または一般かを判定する（Ｓ５０１）。この処理は、研修者の入力情報により行えばよい。「新人」とはシール施工の関係者ではあるが、シール施工に関する経験が皆無ないし皆無と同等の者である。「一般」とは学生などシール施工の啓蒙を受けたい一般人を想定すればよい。
【０１４４】
新人または一般であれば（Ｓ５０１のＹＥＳ）、スキル１が選択され（Ｓ５０２）、シール施工研修プログラム（図２１）のＳ４０４にリターンする。
【０１４５】
新人または一般でなければ（Ｓ５０１のＮＯ）、スキル情報入力（Ｓ５０３）に移行する。スキル情報入力ではスキル判定に必要な情報を入力し、この情報入力に基づきスキル判定を行う（Ｓ５０４）。このスキル判定により、複数のスキルからスキル２、スキル３、・・・スキルＮの何れかに振り分けられる（Ｓ５０５）。この例では、研修者が最も低いスキル１から最上位のスキルＮまでＮ段階に仕分けされ、シール施工研修プログラム（図２１）のＳ４０４にリターンする。このスキル段階は２段階、３段階、４段階、５段階など、何れでもよい。
【０１４６】
＜コース判定の処理手順＞
【０１４７】
図２３は、コース選択の処理手順を示している。コース選択の処理手順に移行すると、新人または一般かを判定する（Ｓ６０１）。この処理は既述のように研修者の入力情報により行えばよい。
【０１４８】
新人または一般であれば（Ｓ６０１のＹＥＳ）、基本コースが選択され（Ｓ６０２）、シール施工研修プログラム（図２１）のＳ４０５にリターンする。
【０１４９】
新人または一般でなければ（Ｓ６０１のＮＯ）、カスタムコースかを判定する（Ｓ６０３）。カスタムコースでなければ（Ｓ６０３のＮＯ）、研修者の職種判定を行う（Ｓ６０４）。職種判定に基づき、複数の上級コースから上級コース１、上級コース２・・・上級コースＮの何れかが選択される（Ｓ６０５）。
【０１５０】
カスタムコースであれば（Ｓ６０３のＹＥＳ）、研修者の職種判定を行う（Ｓ６０６）。職種判定に基づき、複数のカスタムコースからカスタムコース１、カスタムコース２・・・カスタムコースＮの何れかが選択される（Ｓ６０７）。
【０１５１】
＜座学プログラム＞
【０１５２】
座学プログラムには基本コース、上級コースおよびカスタムコースがあり、各コースに応じた座学の講義が行われる。
【０１５３】
また、グランドパッキン座学では、グランドパッキンについて講義が行われる。
【０１５４】
＜実習プログラム＞
【０１５５】
基本コース、上級コースおよびカスタムコースがあり、各コースに応じた実習が行われる。この実習では後述のフランジ締付け実習装置、シール性実習装置、クリープ緩和実習装置、トルク感覚実習装置、配管アライメント実習装置、現場模擬締付け実習装置、圧縮破壊実習装置、熱交換器実習装置など、現場を模擬した複数の実習装置が用いられる。これらの機器から実習プログラムの実行に基づき、必要な機器が選択される。
【０１５６】
また、グランドパッキン実習には、実機回転ポンプ用グランドパッキン実習装置、実機バルブ用グランドパッキン実習装置が用いられる。
【０１５７】
＜シール施工研修のシステム、方法およびプログラム＞
【０１５８】
このシール施工研修システムではコンピュータを用いたシール施工研修方法としてたとえば、図２４に示すように、機器選択工程（Ｓ７０１）、センサー出力または研修情報の取得工程（Ｓ７０２）、模擬情報の生成工程（Ｓ７０３）、模擬情報の提示工程（Ｓ７０４）の処理手順を含む。
【０１５９】
機器選択工程（Ｓ７０１）では、単一または複数の研修室の一例である研修室６９−２に設置されたフランジ締付け実習装置８０−１、クリープ緩和実習装置８０−２、シール性実習装置８０−３などから研修に要する機器を選択する。この機器には、既述の機器のほか、配管アライメントを模擬する機器、締付けを模擬する機器、シール状態を模擬する機器、フランジ締付けを模擬する機器、クリープを模擬する機器、圧縮破壊を模擬する機器、熱交換機器を模擬する機器を含んでよい。
【０１６０】
センサー出力または研修情報の取得工程（Ｓ７０２）では、シール施工機器の各機器に備えるセンサーのセンサー出力または入力手段から研修情報を取得する。
【０１６１】
模擬情報の生成工程（Ｓ７０３）では、センサー出力または研修情報を受け、シール施工機器に含まれる機器に関する模擬情報を生成する。
【０１６２】
そして、模擬情報の提示工程（Ｓ７０４）では、模擬情報を文字情報または図形情報のいずれかまたは双方で提示する。この情報の提示には、モニター８６などの情報提示手段を用いればよい。
【０１６３】
このシール施工研修システムでは研修室６９−２（図１０）に設置されるシール施工機器は締付け軸力を検出するセンサーを備えるもの、センサーを備えないもののいずれでもよい。センサーを備えていない機器については、研修情報の入力手段としてキーボードや情報処理端末を用いればよい。
【０１６４】
処理手段には既述のＰＣ８２などの情報処理機器を用いればよい。この処理手段では、センサー出力または研修情報を受け、シール施工手段に含まれる機器に関する模擬情報を生成する。この処理手段には有線または無線で接続される情報提示手段としてたとえば、モニター８６を用いればよい。この情報提示手段は、処理手段から出力される処理出力を、表示形態として文字情報または図形情報などのいずれかまたは双方で提示する。
【０１６５】
この処理手段で実行されるシール施工研修プログラムは、既述の研修サーバー３０の記憶部１０６に格納され、研修時に実行される。このシール施工研修プログラムには、既述のシール施工研修方法の処理手順と同様に研修処理のプログラムを実行するための機能を備える。この機能には、機器選択機能、センサー出力または研修情報の取得機能、模擬情報の生成機能、模擬情報の提示機能を含めばよい。機器選択機能にはたとえば、配管アライメントを模擬する機器、締付けを模擬する機器、シール状態を模擬する機器、フランジ締付けを模擬する機器、クリープを模擬する機器、圧縮破壊を模擬する機器、熱交換機器を模擬する機器を含むシール施工機器から研修に要する機器を選択する機能を含めばよい。そして、模擬情報の生成機能には、センサー出力または研修情報を受けてシール施工機器に含まれる機器に関する模擬情報を生成する機能を含み、模擬情報の提示機能には、模擬情報を文字情報または図形情報のいずれかまたは双方で提示する機能が含まれる。
【０１６６】
＜第２の実施の形態の効果＞
【０１６７】
この第２の実施の形態によれば、次のような効果が得られる。
【０１６８】
(1) ＰＣ２８から発せられるシール施工のプロモーションの発行や、ＰＣ２４から発せられるシール施工指示を契機に、シール材の選定、シール材の調達およびシール施工研修を一元化でき、シール施工の高精度化および効率化が図られる。
【０１６９】
(2) ＰＣ２４からのシール施工指示を契機に、施工業者６がシール施工研修をサポートセンター８で受け、シール施工における喫緊のシール材の調達をサポートセンター８で行い、そのシール材選定の研修を行える。
【０１７０】
(3) クライアント４は、施工業者６にサポートセンター８で選定したシール材の購入を指示すればよい。これにより、シール施工対象に適合するシール材が選定されることになる。つまり、選定されるシール材の信頼性を確保できる。
【０１７１】
(4) サポートセンター８でシール施工研修を受講した施工業者６がサポートセンター８の選定に係るシール材を以てシール施工対象におけるシール施工を行うことができる。この結果、シール施工の高精度化とともに信頼性が高められる。
【実施例１】
【０１７２】
図２５のＡは、実施例１に係るフランジ締付け実習装置８０−１を示している。このフランジ締付け実習装置８０−１では、装置本体部２２２に第１のシール施工部２２４−１、第２のシール施工部２２４−２が備えられ、各シール施工部２２４−１、２２４−２には径の異なるフランジ継手が備えられ、フランジ２２６間にはガスケット２２８−１、２２８−２が挟み込まれ、複数のボルト２３０およびナット２３２が備えられる。研修者は施工工具としてたとえば、トルクレンチを使用し、ナット２３２を順次に締付け、シール施工を行う。【０１７３】
各ボルト２３０には図２５のＢに示すように、ひずみセンサー２３４が備えられている。各ひずみセンサー２３４にはナット２３２の締付けトルクτによりボルト２３０に生じる軸力が検出される。【０１７４】
このセンサー出力はデータロガー８４（図１０）を通してＰＣ８２に取り込まれる。ＰＣ８２は締付け中の軸力をリアルタイムで中心からの距離を以て軸力の多寡を示す多角形図形をモニター８６に表示する。【０１７５】
このフランジ締付け実習装置８０−１を用いた実習では、施工工具による締付けのばらつき、締付け力と弾性相互作用による隣接ボルトの軸力の関係性、不適切な締付け手順によって片締めが生じることなどを研修者に認識させ、ガスケット機能を発揮させるための締付け力や締付け手順などの重要事項を体得させる。この研修結果は、研修者に関係付けて施工研修情報テーブル１１２に保存される。
【実施例２】
【０１７６】
図２６のＡは、実施例２に係るクリープ緩和実習装置８０−２を示している。図２６のＡにおいて、図２５と共通部分には同一符号を付してある。このクリープ緩和実習装置８０−２では、シール施工部２２４−３を挟む配管部２３５のそれぞれにヒーター２３６−１、２３６−２が設置される。ヒーター２３６−１、２３６−２は、伝熱ヒーターでよい。【０１７７】
フランジ２２６間にはガスケット２２８が挟み込まれ、複数のボルト２３０およびナット２３２が備えられる。各ボルト２３０には図２６のＢに示すように、ひずみセンサー２３４が備えられている。【０１７８】
クリープ緩和の実習では、材質の異なるガスケットに対し運転条件として高温運転、サイクル運転などの運転形態を模擬し各ひずみセンサー２３４で締付け後の軸力の変化を検出する。高温運転やサイクル運転は、ヒーター２３６−１、２３６−２の温度制御による温度変化により模擬すればよい。
【０１７９】
このクリープ緩和実習装置８０−２では、実機では見ることが出来ない締付け後の面圧低下をリアルタイムで軸力変化として検出し、この軸力変化を表示する。これにより、面圧低下を認識させ、初期締付け力、増す締めの効果的なタイミングを研修者に体得させることができる。
【実施例３】
【０１８０】
図２７は、実施例３に係るシール性実習装置８０−３を示している。図２７において、図２５と共通部分には同一符号を付してある。このシール性実習装置８０−３では、装置本体部２２２に第１のシール施工部２２４−１、第２のシール施工部２２４−２が備えられ、各フランジ２２６間にはガスケット２２８が挟み込まれ、複数のボルト２３０およびナット２３２が備えられる。【０１８１】
装置本体部２２２の頂部側にある閉塞側のフランジ２２６に装置本体部２２２内を加圧する加圧装置２３８とともに、装置本体部２２２内の圧力を検出する圧力センサー２３９が備えられる。圧力センサー２３９にはシール施工部２２４−１、２２４−２のシール劣化による圧力変化が検出される。【０１８２】
シール施工部２２４−１、２２４−２のシール性は、フランジ２２６、ガスケット２２８、ボルト２３０によって影響を受ける。フランジ２２６では表面の傷、表面粗さ、腐食、ガスケット２２８では表面の傷、砂埃などの異物の付着、ボルト状態では錆、潤滑材がガスケット２２８のシール性に影響する。【０１８３】
このシール性実習装置８０−３では、フランジ２２６、ガスケット２２８またはボルト２３０の各状態によるトラブルを再現し、リークチェックの手法を研修者に体得させることができる。
【実施例４】
【０１８４】
図２８は、実施例４に係る現場模擬締付け実習装置８０−４を示している。図２８において、図２５と共通部分には同一符号を付してある。この現場模擬締付け実習装置８０−４では、シール施工作業上、劣悪条件下のシール施工現場を模擬し、研修者にシール施工を体得させる。【０１８５】
シール施工現場では、高所、狭所、障害物など、劣悪条件下でのシール施工が強いられる。高所の他、たとえば、配管、ラック、構造物、機器などが錯綜し、狭小空間などがある。図２８のＡに示すように、複数の配管２４０−１、２４０−２、２４０−３が隣接し、シール施工部であるフランジ継手２４２−１、２４２−２、２４２−３が隣接している場合がある。図２８のＢに示すように、複数の配管２４０−４、２４０−５が隣接して交差し、その交差部分にシール施工部であるフランジ継手２４２−４、２４２−５が隣接している場合がある。また、図２８のＣに示すように、配管２４０−６が構造物２４４に隣接して配設され、フランジ継手２４２−６が構造物２４４に隣接している場合がある。このようなシール施工の現場状況を想定し、現場模擬締付け実習装置８０−４では高所、狭所、障害物など想定するシール施工現場を自由に再現し、作業性が妨げられる劣悪条件下でのシール施工を研修者に体得させる。
【実施例５】
【０１８６】
図２９は、実施例５に係る配管アライメント実習装置８０−５を示している。図２９において、図２５と共通部分には同一符号を付してある。シール施工の現場では、図２９のＡに示すように、連結すべき配管２４０−１１、２４０−１２の各フランジ２２６の間隔が広い場合、図２９のＢに示すように、配管２４０−１１、２４０−１２の各フランジ２２６の間隔が狭い場合、図２９のＣに示すように、配管２４０−１１、２４０−１２の各フランジ２２６の間に傾きがあるため平行度が得られない場合、図２９のＤに示すように、配管２４０−１１、２４０−１２の各フランジ２２６間に芯ずれがある場合などに遭遇する。係る事態では均一な締付け力で締め付けてもガスケット２２８に適正な締付け力を伝えることができない。この配管アライメント実習装置８０−５では、隙間、傾き、芯ずれなどを自由に設定して実際のミスアライメントを再現し、ミスアライメントを解決するシール施工を研修者に実習させる。これらの事態に対し、研修者による締付け（面圧）状況を評価する。
【実施例６】
【０１８７】
熱交換器は一般的な管連結用のフランジに比較して構造が複雑であり、シール施工はその構造を理解することから行うことが求められる。固定管板ではフランジ間に２枚のガスケットを挟んで締付けるため、片締めが生じ易い。大口径のフランジではボルト本数が多く、フランジ間の弾性相互作用による締付け中の隣接ボルト間の締付け力の低下を無視することができない。また、仕切り板については、チューブフランジ・シェルフランジに芯ずれを生じさせると、仕切り板が溝に入らず、乗り上げるなどの不都合が生じる。このような特殊な構造、最適な締付け力、適切な施工工具の選定、締付け手順が求められる。【０１８８】
この熱交換器実習装置では熱交換器を分解状態とし、シール施工時に必要な固定管板のボルト締付け、チューブフランジ・シェルフランジの芯合わせなどを実機さながらに研修者に実習させる。
【実施例７】
【０１８９】
圧縮破壊実習装置では研修者に締付け過剰などによるガスケットの圧縮破壊などを体得させる。圧縮破壊は、ガスケットの種類、ペースト塗布、小口径フランジなどについて、圧縮破壊が生じやすい状況を再現し、漏れの要因とその防止を体得させる。たとえば、膨張黒鉛シートガスケットは他のガスケットに比べて圧縮破壊面圧が低いこと、ペースト塗布ではシール性が向上する反面、圧縮破壊が生じ易いこと、小口径フランジではボルトの本数に対するガスケット面積が小さく、面圧が高く成りやすいため、圧縮破壊が起こり易いことなどが上げられる。【０１９０】
そこで、この圧縮破壊実習装置では、漏れの要因である圧縮破壊について、ガスケットの種類や、ペーストの有無と圧縮破壊の要因である亀裂変形や亀裂などの関係を研修者に体得させることができる。
【実施例８】
【０１９１】
その他の実施例として、トルク感覚実習装置、実機回転ポンプ用グランドパッキン実習装置、実機バルブ用グランドパッキン実習装置が用いられる。トルク感覚実習装置では、締付け条件の異なる複数のボルトおよびナットに対する締付けトルクと軸力の推移を研修者に体感させることができる。【０１９２】
〔他の実施の形態〕【０１９３】
(1) 可搬型実習設備：上記実施の形態のシール施工システム、シール施工管理システムは設置型の実習設備に限定されない。クライアントの会議室や研修センターなどでの講習を可能にし、クライアントの利便性を高めたシール施工を実現する可搬型実習設備としてよい。この可搬型実習設備ではたとえば、講習に必要な面積の省スペース化を図った可搬型ベースなどを備え、既述のフランジ締付け実習設備、トルク感覚実習設備などの多数の実習設備を可搬型ベース上に設置すればよい。各設備は台車で移動可能な重量および大きさに設定すればよい。【０１９４】
このような可搬型実習設備ではたとえば、図３０に示すように、研修テーブル２４６にまとめ、設備名２４８、基礎／応用の選択２５０、実習名２５２、実習内容２５４および実施可否２５６などの選択が行えるようにすれば、予算など、必要に応じたシール施工を実現することが可能である。【０１９５】
(2) シール材情報の取得：第１の実施の形態および第２の実施の形態では、シール材の選定をシール施工の許可条件としているが、シール材情報の取得をシール施工の許可条件としてもよい。第１の実施の形態について、図３１に示すように、サポートセンター８では、クライアント４からシール材選定指示の発行（Ｓ１０４）を受け、シール材情報を取得し（Ｓ１１２）、クライアント４および施工業者６にその取得結果を通知（Ｓ１１３）してもよい。第２の実施の形態について、図３２に示すように、ＰＣ２８がＰＣ２４からシール材選定指示の発行（Ｓ２０６）を受けたことを契機に、シール材情報の取得を行い（Ｓ２２６）、ＰＣ２４およびＰＣ２６にその取得結果を通知（Ｓ２２７）してもよい。このような処理では、シール材の選定をすることなく、シール材情報を取得し、必要なシール材をクライアント４や施工業者６が取得し、シール施工を行うことができるという利便性がある。【０１９６】
(3) 研修プログラムのシール材選定：図２１に示す処理では、シール材選定の重要性の認識の確認（Ｓ４０２）、シール材選定の研修（Ｓ４０３）を行う処理手順としているが、これに限定されない。たとえば、図３３に示すように、研修の開始を契機に、シール材が選定されたかを判定し（Ｓ４１２）、シール材が選定されていなければ（Ｓ４１２のＮＯ）、シール材の選定を行い（Ｓ４１３）、シール材選定を条件としてスキル判定（Ｓ４０４）に移行する処理手順としてもよい。【０１９７】
(4) 情報入力：情報入力に用いる研修入力画面１９０では、図２０のＡに示すように、研修者情報を入力しているが、これに限定されない。たとえば、図３４に示すように、所属、担当者情報を入力する入力部１９１に加え、受講内容１９３について、日数、人数、受講場所、コースなどの詳細を予め準備し、チェックボックスへのチェックや情報選択を行える構成としてよい。その他の情報入力として特記事項１９５の入力を可能としてもよい。【０１９８】
(5) 実習装置と取得情報の処理：上記実施の形態で用いられる実習装置にはボルトの軸力を検出するなどのセンサーを備えたものと、センサーを備えないものの双方が含まれる。センサーを備えていない実習装置では、実習に関する情報入力手段として、ＰＣに対して関連情報を入力し、斯かる関連情報から模擬情報を生成すればよい。【０１９９】
(6) シール材およびそのシール施工：上記実施の形態では、シール材としてガスケットを例示しているが、他のシール材であってもよい。また、上記シール施工は、シール材の使用的側面だけではなく、設計や製造を含む側面も含むものである。【０２００】
以上説明したように、本発明の最も好ましい実施の形態や実施例について説明した。本発明は上記記載に限定されるものではない。特許請求の範囲に記載され、または発明を実施するための形態または実施例に開示された発明の要旨に基づき、当業者において様々な変形や変更が可能である。斯かる変形や変更が、本発明の範囲に含まれることは言うまでもない。
【産業上の利用可能性】
【０２０１】
本発明によれば、クライアントＰＣ、施工業者ＰＣおよびサポートセンターＰＣを連係させ、施工業者に対するシール施工研修、シール材の選定および購入の一元化管理を実現し、シール施工の精度を高め、信頼性を向上させることができる。
【符号の説明】
【０２０２】
２  シール施工システム
４  クライアント
６  施工業者
８  サポートセンター
２０  シール施工管理システム
２４、２６、２８  ＰＣ
３０  研修サーバー
３２  インターネット
３４  シール施工研修システム
３４−１  座学システム
３４−２  実習システム
３５  シール材データテーブル
３６  ガスケット群
３８  使用条件
４０  入力画面
４２  タイトル部
４４、４６、４８、５０、５２  選択部
５４  検索開始ボタン
５６  選択ボタン
６０  出力画面
６２  タイトル部
６４−１、６４−２・・・  ガスケット情報
６６  戻るボタン
６８  データベース
６９−１、６９−２  研修室
７０  ＰＣ
７２  ネットワーク
７４  モニター
７６  入力装置
７８  研修者
８０−１  フランジ締付け実習装置
８０−２  クリープ緩和実習装置
８０−３  シール性実習装置
８０−４  現場模擬締付け実習装置
８０−５  配管アライメント実習装置
８２  ＰＣ
８４  データロガー
８６  モニター
９０  ＰＣ
９２  プロセッサ
９４  記憶部
９６  入出力部（Ｉ／Ｏ）
９８  操作入力部
１００  通信部
１０２  モニター
１０４  プロセッサ
１０６  記憶部
１０８  Ｉ／Ｏ
１１０  通信部
１１２  施工研修情報テーブル
１１４  カテゴリ
１１６  大項目
１１８  中項目
１２０  小項目
１１４−１  人的情報
１１４−２  シール情報
１１４−３  施工情報
１１４−４  研修情報
１１４−５  関連情報
１２２  人的情報テーブル
１２４  シール材情報・施工情報テーブル
１２６  研修情報テーブル
１２８  関連情報テーブル
１３０  コースカリキュラムテーブル
１３０−１  基礎コース
１３０−２  上級コース
１３０−３  カスタムコース
１３２  コース
１３４  カリキュラム
１３６  カリキュラム内容
１３８  時間
１４０  ガスケット座学テーブル
１４２  カリキュラム
１４４  レベル
１４６  内容
１４８  ガスケット実習テーブル
１５０  カリキュラム
１５２  レベル
１５４  内容
１５６  実習装置
１５８  グランドパッキン座学テーブル
１６０  カリキュラム
１６２  内容
１６４  グランドパッキン実習テーブル
１６６  カリキュラム
１６８  概要
１７０  実習装置
１７２  座学提示テーブル
１７４  学習項目
１７６  学習内容
１７８  スキル
１８０  実習提示テーブル
１８２  実習項目
１８４  実習内容
１８６  スキル
１８８  装置名
１９０  研修入力画面
１９２  タイトル部
１９４  部署名入力部
１９６  各職入力部
１９８  氏名入力部
２００  スキル入力部
２０２  選択ボタン
２０４  決定ボタン
２０６  研修出力画面
２０８  タイトル部
２１０  研修内容表示部
２１０−１  氏名
２１０−２  部署名
２１０−３  修了コース名
２１０−４  評価
２１０−５  関連情報
２２２  装置本体部
２２４−１  第１のシール施工部
２２４−２  第２のシール施工部
２２４−３  シール施工部
２２６  フランジ
２２８  ガスケット
２２８−１、２２８−２  ガスケット
２３０  ボルト
２３２  ナット
２３４  ひずみセンサー
２３５  配管部
２３６−１、２３６−２  ヒーター
２３８  加圧装置
２３９  圧力センサー
２４０−１、２４０−２、２４０−３  配管
２４０−４、２４０−５、２４０−６  配管
２４０−１１、２４０−１２  配管
２４２−１、２４２−２、２４２−３  フランジ継手
２４２−４、２４２−５、２４２−６  フランジ継手
２４４  構造物
２４６  研修テーブル
２４８  設備名
２５０  基礎／応用の選択
２５２  実習名
２５４  実習内容
２５６  実施可否
【図１】
0006616513.tif 000002
【図２】
0006616513.tif 000003
【図３】
0006616513.tif 000004
【図４】
0006616513.tif 000005
【図５】
0006616513.tif 000006
【図６】
0006616513.tif 000007
【図７】
0006616513.tif 000008
【図８】
0006616513.tif 000009
【図９】
0006616513.tif 000010
【図１０】
0006616513.tif 000011
【図１１】
0006616513.tif 000012
【図１２】
0006616513.tif 000013
【図１３】
0006616513.tif 000014
【図１４】
0006616513.tif 000015
【図１５】
0006616513.tif 000016
【図１６】
0006616513.tif 000017
【図１７】
0006616513.tif 000018
【図１８】
0006616513.tif 000019
【図１９】
0006616513.tif 000020
【図２０】
0006616513.tif 000021
【図２１】
0006616513.tif 000022
【図２２】
0006616513.tif 000023
【図２３】
0006616513.tif 000024
【図２４】
0006616513.tif 000025
【図２５】
0006616513.tif 000026
【図２６】
0006616513.tif 000027
【図２７】
0006616513.tif 000028
【図２８】
0006616513.tif 000029
【図２９】
0006616513.tif 000030
【図３０】
0006616513.tif 000031
【図３１】
0006616513.tif 000032
【図３２】
0006616513.tif 000033
【図３３】
0006616513.tif 000034
【図３４】
0006616513.tif 000035